(57)【要約】【課題】表示データのうちの特定の色（例えば、色覚障害者にとって識別しにくい色）を、他の色と識別しやすいように表示すること。【解決手段】本発明は、表示データ１１を入力し、その表示データ１１のうち色／形状変換するものとしないものとを分類する表示データ分類部１と、予め定められた色と形状との対応を記憶する変換テーブル（色／点形状変換テーブル２、色／線形状変換テーブル４、色／面形状変換テーブル６）と、表示データ分類部１によって色／形状変換するものに分類された表示データの色を変換テーブルによって所定の形状に変換する色／形状変換部（色／点形状変換部３、色／線形状変換部５、色／面形状変換部７）とを備えている。【選択図】        図１
2004178513.tif 000002
【特許請求の範囲】
【請求項１】
表示データを入力し、その表示データのうち色／形状変換するものとしないものとを分類する表示データ分類手段と、
予め定められた色と形状との対応を記憶する変換テーブルと、
前記表示データ分類手段によって色／形状変換するものに分類された表示データの色を前記変換テーブルによって所定の形状に変換する色／形状変換手段とを備えることを特徴とする画像処理装置。
【請求項２】
表示データを入力し、色／形状変換しない表示データと、色／点形状変換する表示データと、色／線形状変換する表示データと、色／面形状変換する表示データとに分類する表示データ種別分類手段と、
予め定められた点形状データを記憶する色／点形状変換テーブルと、線形状データを記憶する色／線形状変換テーブルと、面形状データを記憶する色／面形状変換テーブルと、
前記表示データ種別分類手段が分類した色／形状変換する表示データの中で、色覚障害を持つ使用者が識別しにくい表示色を、上記各種色／形状変換テーブルに記憶されている形状データを用いて識別できる形状に変換し、色／形状変換済み表示データを出力する色／形状変換部と、
前記表示データ種別分類手段が分類した色／形状変換しない表示データと、上記色／形状変換部が出力した色変換済み表示データを合成し、ビデオ表示データに変換する表示データ合成部と、
前記表示データ合成部が変換したビデオ表示データを画面上に表示するカラーディスプレイと
を備えることを特徴とする画像処理装置。
【請求項３】
請求項２記載の画像処理装置において、
予め定められた色／点形状変換テーブルと、色／線形状変換テーブルと、色／面形状変換テーブルのそれぞれの形状データは、元画像の色を残したまま形状変換するか、または、黒一色にして形状変換するかの切り替え手段を備える
ことを特徴とする画像処理装置。
【請求項４】
請求項２記載の画像処理装置において、
前記表示データが写真画像データおよび動画データの場合は前記色／形状変換部による変換を行わないパスを備える
ことを特徴とする画像処理装置。
【請求項５】
表示データを入力し、その表示データのうち色／形状変換するものとしないものとを分類する工程と、
前記工程によって色／形状変換するものに分類された表示データの色を、予め定められた色と形状との対応を示す変換テーブルによって所定の形状に変換する工程と
を備えることを特徴とする画像処理方法。
【請求項６】
表示データを入力し、その表示データのうち色／形状変換するものとしないものとを分類するステップと、
前記ステップによって色／形状変換するものに分類された表示データの色を、予め定められた色と形状との対応を示す変換テーブルによって所定の形状に変換するステップと
を備えることを特徴とする画像処理プログラム。
【発明の詳細な説明】
【０００１】
【発明の属する技術分野】
本発明は、主として色覚障害者（色覚異常（色盲）・色弱者等）を対象とした画像処理装置および画像処理方法ならびに画像処理プログラムに関する。
【０００２】
【従来の技術】
近年、パーソナルコンピュータやワークステーション等で備える表示装置のみならず、ファクシミリ、携帯電話機、携帯情報端末等の装置にもカラー表示可能なディスプレイが使用されている。
【０００３】
これらのカラーディスプレイによる色情報は、色盲、色弱等の色覚障害者にとって識別しにくいことがあり、情報認識の妨げになる。例えば、特許文献１、特許文献２に開示された従来の色覚障害者用のカラー表示システムは、色覚障害者が識別しにくい表示色を、他の表示色に変換するものである。
【０００４】
また、特許文献３においては、さらに、写真等の画像データ部分については、普段、実物を色覚しているときに近い表示色で表示することが重要であるので、色変換しないで表示するようにしている。
【０００５】
いずれにおいても上記特許文献に記載の発明では、色覚障害者が識別しにくい表示色を、他の表示色に変換するものである。例えば、赤色覚障害者に見易くする目的で、赤色を青色に変換し、青緑色は紫色に変換するとする。すると、変換された青色や紫色は、元画像においてもともと青色や紫色の部分が存在した場合、それらの差異がつかなくなり、表示色の識別性はよくならず使用者の混乱を招く。
【０００６】
【特許文献１】
特開平８−１６１２９号公報
【特許文献２】
特開平１１−１７５０５０号公報
【特許文献３】
特開２００２−５５６７１号公報
【０００７】
【発明が解決しようとする課題】
このように従来の色覚障害者用の画像表示装置では、識別しにくい表示色を他の見易い表示色に変換する際、もともと存在していた色とほぼ同一の色を選択した場合に、表示色の識別性に混乱をきたすという問題が生じる。また、従来の色覚障害者用の画像表示装置では、一般の人が使用するには明らかに違和感があり、色覚障害者と一般の人との共有は非常に困難である。
【０００８】
【課題を解決するための手段】
本発明は、このような課題を解決するために成されたものである。すなわち、本発明は、表示データを入力し、その表示データのうち色／形状変換するものとしないものとを分類する表示データ分類手段と、予め定められた色と形状との対応を記憶する変換テーブルと、表示データ分類手段によって色／形状変換するものに分類された表示データの色を変換テーブルによって所定の形状に変換する色／形状変換手段とを備える画像処理装置である。
【０００９】
また、本発明は、表示データを入力し、その表示データのうち色／形状変換するものとしないものとを分類する工程と、この工程によって色／形状変換するものに分類された表示データの色を、予め定められた色と形状との対応を示す変換テーブルによって所定の形状に変換する工程とを備える画像処理方法でもある。
【００１０】
また、本発明は、表示データを入力し、その表示データのうち色／形状変換するものとしないものとを分類するステップと、このステップによって色／形状変換するものに分類された表示データの色を、予め定められた色と形状との対応を示す変換テーブルによって所定の形状に変換するステップとを備える画像処理プログラムでもある。
【００１１】
このような本発明では、表示データのうちの色／形状変換を行うと判断した表示データの色を予め定められた変換テーブルによって所定の形状に変換するため、表示データの色をその色に対応した所定の形状に変換して表示できるようになる。
【００１２】
【発明の実施の形態】
以下に、本発明の実施の形態を図に基づき説明する。図１は本発明の第１実施形態に係る画像処理装置の一例であるカラー表示システムの構成を示すブロック図である。
【００１３】
すなわち、このカラー表示システムは、表示データ１１を入力し、その表示データ１１のうち色／形状変換するものとしないものとを分類する表示データ分類部１と、予め定められた色と形状との対応を示す変換テーブル（色／点形状変換テーブル２、色／線形状変換テーブル４、色／面形状変換テーブル６）と、表示データ分類部１によって色／形状変換するもののなかで分類された表示データ１３、１５、１７の色を前記変換テーブルによって所定の形状に変換する色／形状変換部（色／点形状変換部３、色／線形状変換部５、色／面形状変換部７）とを備えている。
【００１４】
このうち、表示データ分類部１は、表示データ１１を、色／形状変換しない表示データ１２と、色／点形状変換する表示データ１３と、色／線形状変換する表示データ１５と、色／面形状変換する表示データ１７とに分類する。
【００１５】
また、色／点形状変換テーブル２は、入力された表示データ１１を構成する特定の色覚しにくい点形状の表示色を、丸印、四角印などの形状に変換するためのテーブルを記憶する。図２は、この色／点形状変換テーブル２の一例を示す図で、（ａ）はテーブルの例、（ｂ）は点形状の例である。なお、色と点形状との対応は、使用者各自で設定できるようにしてもよい。
【００１６】
また、色／線形状変換テーブル４は、入力された表示データ１１を構成する特定の色覚しにくい線形状の表示色を、一点破線などの形状に変換するためのテーブルを記憶する。図３は、この色／線形状変換テーブル４の一例を示す図で、（ａ）はテーブルの例、（ｂ）は線形状の例である。なお、色と線形状との対応は、使用者各自で設定できるようにしてもよい。
【００１７】
また、色／面形状変換テーブル６は、入力された表示データ１１を構成する特定の色覚しにくい面形状の表示色を、網点などの形状に変換するためのテーブルを記憶する。図４は、この色／面形状変換テーブル６の一例を示す図である。なお、色と面形状との対応は、使用者各自で設定できるようにしてもよい。
【００１８】
色／点形状変換部３は、色／点形状変換テーブル２にもとづいて、色覚障害の使用者が識別しにくい表示色を、色をそのままにして、点形状に変換し、その変換済みの表示データ１４を出力する。
【００１９】
色／線形状変換部５は、色／線形状変換テーブル４にもとづいて、色覚障害の使用者が識別しにくい表示色を、色をそのままにして、線形状に変換し、その変換済みの表示データ１６を出力する。
【００２０】
色／面形状変換部７は、色／面形状変換テーブル６にもとづいて、色覚障害の使用者が識別しにくい表示色を、色をそのままにして、面形状に変換し、その変換済みの表示データ１８を出力する。
【００２１】
また、このカラー表示システムの表示データ分類部１では、色／形状変換しないと判断した表示データ１２をそのまま出力するパスを備えており、このパスを介して表示データ１２を表示データ合成部８へ渡している。
【００２２】
表示データ合成部８は、表示データ分類部１からそのまま出力される変換対象でない表示データ１２とともに、色／点形状変換部３から出力された変換後の表示データ１４、色／線形状変換部５から出力された変換後の表示データ１６および色／面形状変換部７から出力された変換後の表示データ１８を得て合成を行い、ビデオ表示データ１９を生成する。このビデオ表示データ１９はカラーディスプレイ９に送られ、ここで表示される。
【００２３】
このようなカラー表示システムにより、表示データ１１が予め定められた色と対応する形状に変換されて出力されるようになり、例えば色覚障害者にとって識別しにくい表示色が存在する場合であっても、色の情報とともにその色に対応した形状によって他の色と区別を付けやすく表示できるようになる。
【００２４】
図５は、本実施形態に係る画像処理方法を説明するフローチャートである。この画像処理方法では、先に説明した画像処理装置（図１に示すカラー表示システム）を用いた処理の流れとなっている。
【００２５】
先ず、ステップＳＴ１において、画像の表示データ１１が表示データ分類部１に入力され、表示データ分類部１が入力された表示データ１１を読み込む。
【００２６】
次いで、ステップＳＴ２において、表示データ分類部１は画像が写真形式であるかどうかをプログラムにより画像ファイルのタグを検出し、判定する。仮に画像ファイルが写真形式であれば、ステップＳＴ１０に進む。
【００２７】
画像ファイルが写真形式でなければステップＳＴ３に進み、画像ファイルが動画であるかないかを同様に判定する。仮に画像ファイルが動画であれば、ステップＳＴ１０に進む。
【００２８】
ここで、表示データ１１が写真形式や動画動画の場合には、色／形状変換を行うよりも画像の再現性を重視する方が見やすい可能性があり、本実施形態ではこのような表示データ１１の場合には色／形状変換を行わないでそのまま表示すべく、ステップＳＴ２、ＳＴ３を設けている。
【００２９】
画像ファイルが動画形式でなければステップＳＴ４に進み、画像ファイルのなかに点形状のオブジェクトがあるかどうかを画像処理で画素毎に調べることで判定する。点形状があるか否かの判定は、例えばビットマップ形式のデータの場合、一定範囲内にある同色の画素数が一定数以下の場合に点形状であると判定する。また、表示データがコードデータの場合には、点を表すコードデータであるか否かによって判定する。
【００３０】
ここで点形状のオブジェクトがあると判定されるとステップＳＴ５へ進み、点形状のオブジェクトをその色に応じて、色／点形状変換テーブルにしたがって四角印や丸印などの点形状に変換する。次にステップＳＴ１０に進む。
【００３１】
ステップＳＴ４において、画像ファイルのなかに点形状のオブジェクトがないと判断された場合、ステップＳＴ６に進み、同様に、画像ファイルのなかに線形状のオブジェクトがあるかどうかを画像処理で画素毎に調べることで判定する。線形状があるか否かの判定は、例えばビットマップ形式のデータの場合、一定範囲内にある同色の画素数の連続が一定数以上の場合に線形状であると判定する。また、表示データがコードデータの場合には、線分を表すコードであるか否かによって判定する。
【００３２】
ここで線形状のオブジェクトがあると判定されるとＳＴ７へ進み、線形状のオブジェクトをその色に応じて、色／線形状変換テーブルにしたがって直線や一点破線などの線形状に変換する。次にステップＳＴ１０に進む。
【００３３】
ステップＳＴ６において、画像ファイルのなかに線形状のオブジェクトがないと判断された場合、ステップＳＴ８に進み、同様に、画像ファイルのなかに面形状のオブジェクトがあるかどうかを画像処理で画素毎に調べることで判定する。面形状があるか否かの判定は、例えばビットマップ形式のデータの場合、一定範囲内にある同色の画素の範囲が一定範囲以上の場合に面形状であると判定する。また、表示データがコードデータの場合には、面を表すコードであるか否かによって判定する。
【００３４】
ここで面形状のオブジェクトがあると判定されるとＳＴ９へ進み、面形状のオブジェクトをその色に応じて、色／面形状変換テーブルにしたがって右斜め斜線や２０％網点などの面形状に変換する。次にステップＳＴ１０に進む。
【００３５】
ステップＳＴ１０において、表示データ１１の分類、色／形状変換処理が終了している場合には、図５に示すすべての処理を終了する。
【００３６】
表示データ合成部８は、表示データ分類部１から出力された色／形状変換しない表示データ１２と、色／点形状変換３から出力された形状変換済み表示データ１４と、色／線形状変換５から出力された形状変換済み表示データ１６と、色／面形状変換７から出力された形状変換済み表示データ１８とを合成してビデオ表示データ１９に変換する。カラーディスプレイ９は表示データ合成部４から出力されたビデオ表示データ１９を入力して表示する。
【００３７】
以上のように、第１実施形態によれば、表示データ１１の種類により、すなわち、画像のオブジェクトに応じて色／形状変換を実施するようにしているので、どのような画像オブジェクトでもその形状で色の識別ができる。また、写真など、再現性が重視される画像についてはなんら変換をせずに表示することで色覚障害者の普段の視感覚と違和感なく表示することができる。
【００３８】
また、本実施形態では、色／点形状変換テーブル、色／線形状変換テーブル、色／面形状変換テーブルそれぞれの中身を各自で決めることができるので、使用者の使いやすい変換が可能となる。
【００３９】
図６は本発明の第２実施形態に係る画像処理方法を説明するフローチャートである。図５に示す画像処理方法との違いは、図５に示すステップＳＴ５の色／点形状変換、同図ステップＳＴ７の色／線形状変換、同像ステップＳＴ９の色／面形状変換それぞれにおいては、もともとの色を形状変換後の形状に残しているのに対し、図６に示す処理では、それぞれの変換後に形状の色を黒単色にするか、もともとの色を形状変換後の形状に残すかどうかを使用者選択できるようにしていることである。
【００４０】
すなわち、ステップＳＴ１〜ＳＴ９までの処理は図５に示すフローチャートと同じで、ステップＳＴ５、ＳＴ７、ＳＴ９の各々の処理の次にステップＳＴ１１として黒単色を選択したか否かを判断する。黒単色が選択されている場合にはステップＳＴ１２へ進み、黒を選択して各形状変換後のデータを黒単色のデータとして生成する。
【００４１】
一方、黒単色が選択されていない場合にはステップＳＴ１２をスキップしてステップＳＴ１３へ進む。ステップＳＴ１３は図５に示すステップＳＴ１０と同じである。
【００４２】
このような処理によれば、使用者選択によって、表示色を形状変換した後、黒単色で表現することも可能なので、例えば、表示画面をプリントして黒白コピーを撮った場合でも、もともとの色による情報の脱落が無くなるという効果がある。
【００４３】
これにより、カラー原稿を複数枚コピーする場合、黒白コピーで済ませることが可能であり、使用者にとってはコピーコストを安く抑える効果も出る。また、これによる効果は、色覚障害をもつ使用者でも一般の使用者でも同じように享受できる。
【００４４】
なお、上記実施形態で説明したカラー表示システムは、パーソナルコンピュータ、ワークステーションのみならず、携帯電話機、携帯情報端末機等にも適用できる。また、各画像処理方法のステップをプログラム処理によって実現することで画像処理プログラムを構成することも可能である。
【００４５】
【発明の効果】
以上説明のように、本発明によれば、カラーの表示データをその画像オブジェクトの形に応じて、網がけや一点破線や四角印などの形状に変換することで色覚障害のある使用者にとって識別し易く表示することが可能となる。また、本発明では、一般の人にとっても違和感なく使えるので、色覚障害を持つ人と一般の人とが共有使用することができるという効果もある。
【図面の簡単な説明】
【図１】第１実施形態を説明するブロック図である。
【図２】色／点形状変換テーブルの一例を示す図である。
【図３】色／線形状変換テーブルの一例を示す図である。
【図４】色／面形状変換テーブルの一例を示す図である。
【図５】本実施形態に係る画像処理方法を説明するフローチャートである。
【図６】第２実施形態に係る画像処理方法を説明するフローチャートである。
【符号の説明】
１…表示データ分類部、２…色／点形状変換テーブル、３…色／点形状変換部、４…色／線形状変換テーブル、５…色／線形状変換部、６…色／面形状変換テーブル、７…色／面形状変換部、８…表示データ合成部、９…カラーディスプレイ
【図１】
2004178513.tif 000003
【図２】
2004178513.tif 000004
【図３】
2004178513.tif 000005
【図４】
2004178513.tif 000006
【図５】
2004178513.tif 000007
【図６】
2004178513.tif 000008